(57)【要約】      （修正有）【課題】着火しない煙草から、片手の操作で煙草の香りを簡単に鼻孔に送ることができる禁煙パイプを提供する。【解決手段】煙草の葉を収納する収納体１を設け、収納体の上部に開口部１Ａを、収納体の底部に空気孔１Ｃを形成する。開口部１Ａには外嵌する押圧蓋体２を設ける。押圧蓋体の上下操作に伴って収納体内に外気を吸引し排気するように構成し、収納体に吸引された外気と共に排出孔３から煙草の香りを外へ送り出す。収納体の周囲にコイルスプリング４を配置し、コイルスプリングの弾性力で押圧蓋体を上方に付勢して、押圧蓋体でコイルスプリングを圧縮操作することで、収納体内の煙草の香りを排出孔から強制的に送り出すように構成するのが好ましい。【選択図】図１
0003193585.tif 000002
【実用新案登録請求の範囲】
【請求項１】
収納体に煙草の葉を収納し、この収納体内の煙草の香りを強制的に送り出す送出機構を設けた禁煙用パイプにおいて、前記収納体の上部に開口部を形成すると共に、底部に空気孔を形成し、収納体の開口部から外側面にかけて外嵌せしめる押圧蓋体を設け、該押圧蓋体の上下操作に伴って空気孔から収納体内に外気を吸引し排気するように構成し、収納体に収納された煙草の香りを収納体に吸引された外気と共に排出孔から使用者に向けて送り出す送出機構を設けたことを特徴とする禁煙用パイプ。
【請求項２】
前記送出機構は、前記収納体の外側面を囲繞するコイルスプリングと、該コイルスプリングの弾性力で上方に付勢される前記押圧蓋体とで構成され、前記押圧蓋体によるコイルスプリングの圧縮操作で収納体内の煙草の香りを前記排出孔から強制的に送り出すように構成した請求項１記載の禁煙用パイプ。
【請求項３】
前記送出機構は、前記押圧蓋体の側面を蛇腹状に形成して上下動自在に形成し、前記収納体の外側面に外嵌した前記押圧蓋体の圧縮操作で収納体内の煙草の香りを前記排出孔から強制的に送り出すように構成した請求項１記載の禁煙用パイプ。
【請求項４】
前記収納体は、ペンダント型に形成した前記ボウル部内に設けられ、外ボウル部の側面に回転自在に設けられた風量調整つまみに前記排出孔を形成した請求項１乃至３いずれか記載の禁煙用パイプ。
【請求項５】
前記収納体は、パイプのボウル部とマウスピースとを模した疑似パイプのボウル部内に設けられ、前記排出孔をマウスピースの側面に形成した請求項１乃至３いずれか記載の禁煙用パイプ。
【考案の詳細な説明】
【技術分野】
【０００１】
本考案は、煙草の香りを使用者の鼻孔に向けて強制的に送ることで、喫煙者を禁煙に導くことができる禁煙用パイプに関するものである。
【背景技術】
【０００２】
従来、この種の禁煙用パイプとして、喫煙の疑似行為として、ハッカなどの香気成分を吸引するものや、実物の煙草に着火して紫煙を立てながら吸入せずに香気成分のみを吸入するものなどがあった（特許文献１）。
【０００３】
ところが、ハッカなどの香気成分を吸引するものでは、このハッカ等の代替香気成分が口にあわない喫煙者には、このタイプの禁煙用パイプは使用できない不都合がある。一方、実物の煙草に着火して紫煙を立てながら吸入せずに香気成分のみを吸入するものでは、火を付けた煙草から立ちのぼる副流煙が、喫煙者の周囲に害を与えることになる。
【０００４】
そこで当考案者は、先に、すべての喫煙者が使用することができ、副流煙による周囲への害を防止する禁煙用パイプを提案している（特許文献２）。この禁煙パイプは、煙草に着火しない状態で、煙草の香りを吸い口部方向に強制的に送る送出機構を設け、吸い口部の上部から使用者の鼻孔に向けて煙草の香りを送るように構成したものである。
【０００５】
すなわち、パイプのボウルと吸い口とを模した疑似パイプを形成し、ボウル部に煙草を収納する収納部を設け、この収納部内の煙草の香りを吸い口部方向に強制的に送る送出機構を設け、吸い口部の上部に開穿した排出口から使用者の鼻孔に向けて煙草の香りを送り出すように設けたものである。
【先行技術文献】
【特許文献】
【０００６】
【特許文献１】特開平３-２７２７７５号公報
【特許文献２】特許第３３２８６５９号公報
【考案の開示】
【考案が解決しようとする課題】
【０００７】
ところが、特許文献２に記載の禁煙パイプは、煙草の香りを送る送出機構に、電動ファンや電動ポンプ、あるいは手動のポンプを利用する構成を採用している。そのため、電動ファンの音や電動モーターの音などが発生するので、使用者は落ち着いて使用することができない不都合があった。更に、電動モーター等の使用が他の電波機器の雑音の原因になる懸念もあった。
【０００８】
また、電動ポンプ等の代わりに手動のポンプを使用する場合は、電動ポンプの代わりにレバーを揺動させて煙草の香りを送る送出機構になる。ところが、このレバーは、パイプの吸い口に沿ってレバーを揺動させる操作になるため、片手で疑似パイプを持ちながら、他方の手でレバーを操作する必要があった。したがって、レバーの操作が困難になり、しかも、このレバー操作が喫煙の疑似行為にとって全く異質な操作になることから、使用者の積極的な使用を妨げる虞があった。
【０００９】
そこで本考案は、上述の課題を解消すべく案出されたもので、着火しない煙草から煙草の香りを強制的に送り出す送出機構を設けた禁煙パイプにおいて、片手の操作でも煙草の香りを簡単に送ることができる禁煙パイプの提供を目的とするものである。
【課題を解決するための手段】
【００１０】
本考案の第１の手段は、収納体１に煙草の葉を収納し、この収納体１内の煙草の香りを強制的に送り出す送出機構を設けた禁煙用パイプにおいて、前記収納体１の上部に開口部１Ａを形成すると共に、底部に空気孔１Ｃを形成し、収納体１の開口部１Ａから外側面１Ｂにかけて外嵌せしめる押圧蓋体２を設け、該押圧蓋体２の上下操作に伴って空気孔１Ｃから収納体１内に外気を吸引し排気するように構成し、収納体１に収納された煙草の香りを収納体１に吸引された外気と共に排出孔３から使用者に向けて送り出す送出機構を設けたことにある。
【００１１】
第２の手段の前記送出機構は、前記収納体１の外側面１Ｂを囲繞するコイルスプリング４と、該コイルスプリング４の弾性力で上方に付勢される前記押圧蓋体２とで構成され、前記押圧蓋体２によるコイルスプリング４の圧縮操作で収納体１内の煙草の香りを前記排出孔３から強制的に送り出すように構成したものである。
【００１２】
第３の手段の前記送出機構は、前記押圧蓋体２の側面を蛇腹状に形成して上下動自在に形成し、前記収納体１の外側面１Ｂに外嵌した前記押圧蓋体２の圧縮操作で収納体１内の煙草の香りを前記排出孔３から強制的に送り出すように構成したものである。
【００１３】
第４の手段の前記収納体１は、ペンダント型に形成した前記ボウル部５内に設けられ、外ボウル部５の側面に回転自在に設けられた風量調整つまみ６に前記排出孔３を形成したものである。
【００１４】
第５の手段の前記収納体１は、パイプのボウル部５とマウスピース７とを模した疑似パイプのボウル部５内に設けられ、前記排出孔３をマウスピース７の側面に形成している。
【考案の効果】
【００１５】
本考案の請求項１の如く、収納体１の開口部１Ａから外側面１Ｂにかけて外嵌せしめる押圧蓋体２を設け、該押圧蓋体２の上下操作で空気孔１Ｃから収納体１内に外気を吸引排気するように構成し、収納体１に収納された煙草の香りを収納体１に吸引された外気と共に排出孔３から使用者に向けて送り出す送出機構を設けたことにより、収納体１を持った手で押圧蓋体２の押圧操作が可能になるので、使用者に向けて煙草の香りを簡単に送ることができるものである。
【００１６】
しかも、収納体１を持った手で押圧蓋体２を押圧する操作は、状来の手動ポンプのような両手を使いながら吸い口部に沿ってレバーを揺動する操作に比べて極めてシンプルになり、疑似的な喫煙としても違和感のない操作になり、使用者の使い勝手が良好になる。
【００１７】
請求項２のように、送出機構にコイルスプリング４を使用することで、耐久性に優れた送出機構を提供することができる。
【００１８】
請求項３のように、送出機構に蛇腹状の側面を有する押圧蓋体２を使用することで、軽量な構成の送出機構を提供することができる。
【００１９】
請求項４のように、収納体１を、ペンダント型に形成した前記ボウル部５内に設け、外ボウル部５の側面に回転自在に設けられた風量調整つまみ６に排出孔３を形成したことで、あたかもアクセサリーを弄ぶかのような操作で禁煙することが可能になるものである。従って、特に、女性用の禁煙具として好適な使用が可能である。しかも、風量調整つまみ６により、収納体１からの風量を調整することができる。
【００２０】
請求項５のごとく、収納体１を、パイプのボウル部５とマウスピース７とを模した疑似パイプのボウル部５内に設け、排出孔３をマウスピース７の側面に形成しているので、あたかもパイプで喫煙しているかのような扱いで禁煙することが可能になる。
【００２１】
このように本考案によると、片手の操作でも煙草の香りを簡単に送ることができ、パイプ喫煙の疑似行為において違和感のない操作になるなどといった当初の目的を達成した。
【図面の簡単な説明】
【００２２】
【図１】本考案の一実施例を示す側断面図である。
【図２】本考案の一実施例を示す正面図である。
【図３】本考案の押圧蓋体を示す要部断面図である。
【図４】（イ）、（ロ）は、ピストンリングの例を示す断面図である。
【図５】本考案の一実施例を示す斜視図である。
【図６】本考案の排出孔を示す側断面図である。
【図７】本考案の排出孔を示す要部平断面図である。
【図８】本考案の排出孔とボウル部の切欠部を示す端面図である。
【図９】本考案の一実施例を示す平面図である。
【図１０】本考案の他の実施例を示す側断面図である。
【図１１】本考案の他の実施例を示す平面図である。
【考案を実施するための形態】
【００２３】
本考案禁煙パイプは、収納体１に煙草の葉を収納し、この収納体１内の煙草の香りを強制的に送り出す送出機構を設けたものである。
【００２４】
この禁煙パイプの基本構成は、収納体１と押圧蓋体２とを備えたものである（図１参照）。収納体１は、上部に開口部１Ａが形成され、底部に空気孔１Ｃを有するもので、この収納体１内に煙草の葉を収納する。煙草の葉は、パイプ煙草用の葉が好適であるが、紙巻煙草の葉を収納したり、好みによって他の香気成分を含んだ材料を収納したりしても良い。このとき、煙草の葉は、通気性の良い袋等に入れておくと葉の交換が容易になる。そして、収納体１は、後述するボウル部５の中に押圧蓋体２と共に収納されている（図２参照）。
【００２５】
押圧蓋体２は、収納体１の開口部１Ａに外嵌せしめる部材で、この押圧蓋体２の上下操作に伴って収納体１内に外気を吸引し排気するように構成している（図１参照）。すなわち、収納体１に収納された煙草の葉の香りを、収納体１に吸引された外気と共に排出孔３から外へ送り出す送出機構を設けたものである。図示の押圧蓋体２は、天板２Ａを開口して煙草の葉を収納するように設けている。また、押圧蓋体２の下端部に係止部２Ｄを設けて収納体１から抜けないようにしている（図３参照）。すなわち、収納体１の外側面１Ｂに嵌合溝１Ｄを形成し、この嵌合溝１Ｄに係止部２Ｄの位置を合わせて押圧蓋体２を押し下げる（図９参照）。その後、押圧蓋体２を横方向に回して収納体１に係止部２Ｄを係止するものである。
【００２６】
図１に示す送出機構はコイルスプリング４を利用している。このコイルスプリング４は収納体１の周囲に配置され、該コイルスプリング４の弾性力で押圧蓋体２を上方に押圧付勢する機構である。そして、押圧蓋体２を加圧してコイルスプリング４を圧縮すると、収納体１内の煙草の香りが排出孔３から強制的に排出される。更に、押圧蓋体２から手を離すと、コイルスプリング４の弾性力で押圧蓋体２が持ち上がり、収納体１内に外気が吸入されるものである。したがって、使用者は、片手で押圧蓋体２を押し込む操作のみで煙草の香りを楽しむことができる。
【００２７】
図示例では、ボウル部５の中に上下にピストン移動する押圧蓋体２を収納している（図１参照）。そして、押圧蓋体２の外側面に収納凹部２Ｂを周設し、この収納凹部２Ｂにピストンリング２Ｃを装着することで、押圧蓋体２のピストン移動を潤滑にしている（図３参照）。
【００２８】
ピストンリング２Ｃは、アルミ合金やステンレス材などの金属材にて設けられている。例えば、アルミ合金製のピストンリング２Ｃは、断面略楕円形状に形成する（図４（イ）参照）。また、ステンレス製のピストンリング２Ｃは断面円形状に形成する（同図（ロ）参照）。このように、ピストンリング２Ｃの材質や形状は任意に変更することができる。
【００２９】
また、送出機構は、コイルスプリング４の代わりに蛇腹形状の弾性を利用することも可能である（図示せず）。この場合、押圧蓋体２の側面を蛇腹状に形成して上下動自在に形成する。そして、収納体１の周囲に外嵌した押圧蓋体２の圧縮操作で収納体１内の煙草の香りを前記排出孔３から強制的に送り出すように構成する。
【００３０】
収納体１は、収納するボウル部５の形状によって、女性の使用に違和感のないアクセサリーのペンダント型や、男性が使用するのに好適な疑似パイプ型として使用することができる。
【００３１】
図１は、ペンダント型に形成したボウル部５内に収納体１を設けたものである。すなわち、パイプのボウル部分を、首から下げるアクセサリーのペンダントとして使用するものである。図示例では、天板２Ａにペンダント用の吊り金具８を設けている。この吊り金具８はステンレスや貴金属で形成することが可能である。このようなペンダント型のボウル部５の側面には、回転自在に設けられた風量調整つまみ６に排出孔３を形成している（図５参照）。
【００３２】
この風量調整つまみ６は、ボウル部５の側面下部に開穿した連結孔５Ａに挿入して回転自在に連結する部材である（図１参照）。図示の風量調整つまみ６は、連結孔５Ａに挿入する軸部６Ａと、ボウル部５の外部に突出する操作部６Ｂとで構成されている（図６参照）。そして軸部６Ａから操作部６Ｂに向けて排出孔３を斜めに貫通し、操作部６Ｂの上面に排出孔３が開口している（図７参照）。この排出孔３は、外部に向けて次第に窄まるテーパー状を成し、軸部６Ａの上面に切欠部６Ｃを形成して排出孔３を一部切り欠いている（図６参照）。また、軸部６Ａの排出孔３に紙フィルター６Ｄを詰めることで、粉末化した煙草の葉の排出を防止している。
【００３３】
一方、ボウル部５の連結孔５Ａ上面に切欠部５Ｂが斜めに形成され、この切欠部５Ｂと風量調整つまみ６の切欠部６Ｃが一致すると、外気が流通する（図８参照）。したがって、この風量調整つまみ６の回転操作により、外気の流通量を調整するものである。
【００３４】
図１０、図１１は、パイプのボウル部５とマウスピース７とを模した疑似パイプのボウル部５内に収納体１を設けたものである。この場合、排出孔３をマウスピース７の側面に形成した例を示している。この場合、ボウル部５の連結孔５Ａにマウスピース７を連結している（図１０参照）。そして、このマウスピース７の側面上部に排出孔３を貫通させている（図１１参照）。
【００３５】
尚、本考案の収納体１や押圧蓋体２の形状やサイズ、あるいはボウル部５やマウスピース７等の構成などは本考案の要旨を変更しない範囲において自由に選択することができる。
【符号の説明】
【００３６】
１  収納体
１Ａ  開口部
１Ｂ  外側面
１Ｃ  空気孔
１Ｄ  嵌合溝
２  押圧蓋体
２Ａ  天板
２Ｂ  収納凹部
２Ｃ  ピストンリング
２Ｄ  係止部
３  排出孔
４  コイルスプリング
５  ボウル部
５Ａ  連結孔
５Ｂ  切欠部
６  風量調整つまみ
６Ａ  軸部
６Ｂ  操作部
６Ｃ  切欠部
６Ｄ  紙フィルター
７  マウスピース
８  吊り金具
【図１】
0003193585.tif 000003
【図２】
0003193585.tif 000004
【図３】
0003193585.tif 000005
【図４】
0003193585.tif 000006
【図５】
0003193585.tif 000007
【図６】
0003193585.tif 000008
【図７】
0003193585.tif 000009
【図８】
0003193585.tif 000010
【図９】
0003193585.tif 000011
【図１０】
0003193585.tif 000012
【図１１】
0003193585.tif 000013